(57)【要約】【課題】混信することなく、確実にリモコン操作を行うことができるリモコン装置を備えた視力計を提供する。【解決手段】リモコン装置１０ｎの送信部１６は、搬送波周波数４００〜５００ｋHzで変調したリモコン信号を、リモコン装置ごとに異なる出力パターン（例えば、P００１、P００２）で複数回出力することにより、混信することなく、確実にリモコン操作を行うことができる。また、リモコン信号の送信を休止する休止期間Ｔ２を、リモコン信号を送信する送信期間Ｔ１よりも長く設定することにより、より混信を起こしにくくすることができる。【選択図】図３
2009225254.tif 000002
【特許請求の範囲】
【請求項１】
リモコン操作に基づいて赤外線からなるリモコン信号を出力するリモコン信号出力部を備えた複数のリモコン装置と、各々リモコン装置からの前記リモコン信号を受信するリモコン信号受信部と、前記リモコン信号受信部にて受信したリモコン信号に基づいて視標を表示する視標表示部とを備えた複数の視標表示装置と、からなる複数の視力計において、
前記リモコン信号出力部は、所定の搬送波周波数で、各々リモコン装置において予め設定された所定のパターンで前記リモコン信号を複数回出力することを特徴とするリモコン装置。
【請求項２】
前記搬送波周波数を、４００〜５００ｋHzとしたことを特徴とする請求項１に記載のリモコン装置。
【請求項３】
前記リモコン信号を送信する送信期間と、前記リモコン信号の送信を休止する休止期間との内、前記送信期間よりも前記休止期間を長く設定してあることを特徴とする請求項１に記載のリモコン装置。
【発明の詳細な説明】
【技術分野】
【０００１】
この発明は、視標呈示装置の遠隔操作に用いるリモコン装置に関するものである。
【背景技術】
【０００２】
従来、視力検査は、被検者から５ｍ前に視標を呈示する表示部（例えば、液晶パネル等）を置き、表示部に呈示する視標の大きさや向きをリモコン装置の操作により変更して視力検査を行っている。また、視力計は医療現場では複数台併設して使用することが多い。視力計を複数台併設して使用した場合、赤外線通信によるリモコン操作が同時に行われると、誤作動を引き起こす問題があった。
【０００３】
そこで、従来では、例えば特許文献１（実開昭６３−１０６４０１）に示されているように、視力計ごとに特有の信号列を視標切換コード信号に付加することにより、目的以外の視力計の誤作動を起こさないようにした装置が開示されている。
【０００４】
しかしながら、視力計ごとに特有の信号列を付加しても、複数の視力計のリモコン操作を同時に行った場合、表示部が複数のリモコン装置からのリモコン信号を同時に受信したため、視標の変更操作ができなくなるという問題があった。
【０００５】
【特許文献１】実開昭６３−１０６４０１号公報
【発明の開示】
【発明が解決しようとする課題】
【０００６】
ここにおいて、本発明は、上記問題点に鑑みなされたもので、複数の視力計を設置して使用する場合において、各々リモコン装置に予め設定された所定のパターンで高周波数の赤外線信号を複数回出力することにより、混信することなく、確実にリモコン操作を行うことができるリモコン装置を提供することを目的とする。
【課題を解決するための手段】
【０００７】
本発明の第一の態様は、リモコン操作に基づいて赤外線からなるリモコン信号を出力するリモコン信号出力部を備えた複数のリモコン装置と、各々リモコン装置からの前記リモコン信号を受信するリモコン信号受信部と、前記リモコン信号受信部にて受信したリモコン信号に基づいて視標を表示する視標表示部とを備えた複数の視標表示装置と、からなる複数の視力計において、前記リモコン信号出力部は、所定の搬送波周波数で、各々リモコン装置において予め設定された所定のパターンで前記リモコン信号を複数回出力することを特徴とする。
【０００８】
本発明の態様によれば、リモコン装置ごとに予め設定された所定のパターンでリモコン信号を複数回出力することにより、複数のリモコン装置を同時に操作しても、混信することなく、確実にリモコン操作を行うことができる。
【０００９】
また、本発明の第二の態様は、前記第一の態様に係るリモコン装置において、前記搬送波周波数を、４００〜５００ｋHzとしたことを特徴とする。
【００１０】
本発明の態様によれば、従来の視力計のリモコン信号の搬送波周波数（一般的に３８ｋHｚ前後）よりも高い搬送波周波数４００〜５００ｋHzにすることで、一回のリモコン信号の出力（発光）時間を短くすることができるため、混信が起こりにくくなるとともに、視標の切り替えを早く行うことができる。
【００１１】
また、本発明の第三の態様は、前記第一の態様に係るリモコン装置において、前記リモコン信号を送信する送信期間と、前記リモコン信号の送信を休止する休止期間との内、前記送信期間よりも前記休止期間を長く設定してあることを特徴とする。
【００１２】
本発明の態様によれば、リモコン信号の休止期間を、送信期間よりも長く設定することにより、複数のリモコン装置を異なるタイミングで操作しても、混信することなく、確実にリモコン操作を行うことができる。
【発明を実施するための最良の形態】
【００１３】
以下、本発明を更に具体的に明らかにするために、本発明の実施形態について、図面を参照しつつ、詳細に説明する。
【００１４】
視力計は、一つの視標又は複数の視標を呈示する視標呈示装置と視標呈示装置に呈示する視標を選択するリモコン装置から構成されている。リモコン装置は、ボタン操作に基づいた赤外線信号を対応する視標呈示装置に送信し、視標呈示装置は、受信した赤外線信号に基づいて視標の呈示を行う。
【００１５】
図１は、本発明の一実施形態としての視力計の構成を示したブロック図である。図１に示すように、リモコン装置１０A、１０Bと、視標呈示装置２０A、２０Bとからなる２台の視力計が併設してある。そして、リモコン装置１０Aからはリモコン信号a、リモコン装置１０Bからはリモコン信号ｂが出力される。
【００１６】
図２は、リモコン装置１０n(ｎ＝A、B)及び視標呈示装置２０n(ｎ＝A、B)の内部構成を概略的に示したブロック図である。
【００１７】
図２に示すように、リモコン装置１０ｎは、入力部１２、マイクロコンピュータ１４、送信部１６、ディスプレイ１８により構成されている。送信部１６は、ANDゲート１６０、発振器１６２、トランジスタ１６４、抵抗１６６、赤外線発光ダイオード１６８により構成されている。また、視標呈示装置２０ｎは、受信部２２、マイクロコンピュータ２４、表示器２６により構成されている。
【００１８】
入力部１２は、図示なき操作ボタンの操作を検知し、マイクロコンピュータ１４は、入力部１２からの操作ボタンに対応した操作コードを送信部１６に出力する。すなわち、マイクロコンピュータ１４から読み出した操作コードは、ANDゲート１６０に供給される。ANDゲート１６０の他方の端子には発振器１６２から、所定の搬送波周波数が供給されており、また、ANDゲート１６０の出力がトランジスタ１６４のベースに印加され、トランジスタ１６４をオン/オフ制御するようになされている。
【００１９】
つまり、トランジスタ１６４は、所定の搬送波周波数で変調されたリモコン信号によってオン/オフ制御される。ここで、トランジスタ１６４がオンである期間は、抵抗１６６を介して赤外線発光ダイオード１６８に電流が流れるため赤外線が送信され、トランジスタ１６４がオフである期間は、赤外線発光ダイオード１６８から赤外線は送信されない。この動作により赤外線発光ダイオード１６８から所定の搬送波周波数で変調されたリモコン信号が赤外線信号として出力される。本実施例においては、一回のリモコン操作により発生するリモコン信号をリモコン装置ごとに異なる出力パターンで複数回出力される。
【００２０】
ここで、本発明の各リモコン装置におけるリモコン信号の出力パターンの一実施例を、図面を参照しながら詳細に説明する。図３は、各リモコン装置におけるリモコン信号の出力パターンの一実施例を示した図である。
【００２１】
図３に示すように、リモコン装置１０Aにおけるリモコン信号aの出力パターンP００１を、a１：発光、a２：発光、a３：無発光とし、リモコン装置１０Bにおけるリモコン信号ｂの出力パターンP００２を、ｂ１：発光、ｂ２：無発光、ｂ３：発光とする。
【００２２】
リモコン信号aとリモコン信号ｂとが出力された時間のずれの量をΔＴとし、ΔＴ＝０（リモコン装置１０A及び１０Bから同時に信号を出力）の場合、a１とｂ１は発光であるため視標呈示装置２０Aまたは２０Bは、リモコン信号a１とｂ１を同時に受信する、つまり、混信状態となるが、a２はｂ２が無発光であるため混信せず、リモコン信号a２は視標呈示装置２０Aに受信される。そして、ｂ３はa３が無発光であるため混信せず、リモコン信号ｂ３は視標呈示装置２０Bに受信される。
【００２３】
次に、ΔＴ≠０（リモコン装置１０A及び１０Bから異なるタイミングで信号を出力）の場合について説明する。本実施例において、リモコン信号を送信する送信期間をＴ１、リモコン信号の送信を休止する休止期間をＴ２とする。
【００２４】
図４は、ΔＴ＞Ｔ１の場合の各リモコン装置から出力されたリモコン信号の関係を示した図である。図４に示すように、a２とｂ１は発光であるため混信するが、a１とｂ３は混信しないため、リモコン信号a１は視標呈示装置２０Aに受信され、リモコン信号ｂ３は視標呈示装置２０Bに受信される。
【００２５】
図５は、ΔＴ＜Ｔ１の場合の各リモコン装置から出力されたリモコン信号の関係を示した図である。図５(ア）は、Ｔ１＞Ｔ２の場合、図５（イ）は、Ｔ１＜Ｔ２の場合をそれぞれ示している。図５(ア）では、a１とｂ１は発光であるため混信し、さらに、a２とｂ１は発光が重なるため混信する。そして、ｂ３はa３が無発光であるため混信しない。つまり、視標呈示装置２０Bは、リモコン信号ｂ３を混信することなく受信することができるが、視標呈示装置２０Aは、リモコン信号a１とｂ１、さらに、a２とｂ１を同時に受信するため、誤作動や動作停止を起こす恐れがある。しかし、図５(イ）では、a１とｂ１は発光であるため混信するが、a２はｂ２が無発光であるため混信せず、リモコン信号a２は視標呈示装置２０Aに受信される。そして、ｂ３はa３が無発光であるため混信せず、リモコン信号b３は視標呈示装置２０Bに受信される。
【００２６】
このようにして、リモコン装置ごとに出力パターンを異ならせ、さらに、休止期間Ｔ２を送信期間Ｔ１よりも長く設定することにより、複数のリモコン装置から同時もしくは異なるタイミングで信号が出力されても、混信することなく、確実にリモコン操作を行うことができる。本実施形態においては、送信期間Ｔ１を10msec、休止期間Ｔ２を16msecとしている。
【００２７】
そして、リモコン装置１０ｎの送信部１６から複数回出力されたリモコン信号は、視標呈示装置２０ｎの受信部２２に受信される。そして、マイクロコンピュータ２４は受信したリモコン信号を表示器２６に出力し、表示器２６において視標の呈示を行う。また、リモコン装置１０ｎのマイクロコンピュータ１４は、操作コードをディスプレイ１８にも出力し、ディスプレイ１８は、操作コードに基づいて視標の種類等の表示を行う。
【００２８】
ここで、本発明においては、リモコン装置１０ｎの送信部１６における発振器１６２の搬送波周波数を従来の搬送波周波数（一般的に３８ｋHz前後）よりも高い搬送波周波数である４００〜５００ｋHzとしている。
【００２９】
搬送波周波数を高くすることにより、リモコン信号を送信する送信期間Ｔ１を短くすることができる。つまり、混信が起こる時間をより短くすることができる。
【００３０】
そのため、例えば、３台の視力計を併設して、出力パターンを２つ（例えば、P００１、P００２）にした場合には、２台の視力計が同じ出力パターンを有するため混信してしまう恐れがあるが、従来の搬送波周波数よりも高い搬送波周波数を用いることにより、一回のリモコン信号の出力（発光）時間が短くなるため、混信が起こりにくくなる。
【００３１】
また、送信期間Ｔ１を短くすることができれば、リモコン信号の送信を休止する休止期間Ｔ２も短くすることができるため、リモコン信号を複数回出力する時間を短くすることができる。
【００３２】
このようにして、従来よりも高い搬送波周波数とすることで、一回のリモコン信号の出力（発光）時間を短くすることができるため、混信が起こりにくくなるとともに、視標の切り替えを早く行うことができる。本実施形態においては、搬送波周波数を４５５ｋHzとしている。
【００３３】
以上、本発明の一実施形態について詳述してきたが、かかる実施形態における具体的な記載によって、本発明は、何等限定されるものでなく、当業者の知識に基づいて種々なる変更、修正、改良等を加えた態様で実施可能であり、また、そのような実施態様が、本発明の趣旨を逸脱しない限り、何れも、本発明の範囲内に含まれるものであることは言うまでもない。
【００３４】
例えば、上記実施例では、２台の視力計を併設し、リモコン信号を２回出力する場合の出力パターンを示したが、視力計の併設台数や出力パターンは一つの例であり、特に本発明の趣旨を規制するものではない。つまり、視力計の併設台数に応じて、各リモコン装置におけるリモコン信号が重ならないように発光及び無発光のパターン制御を行ってもよい。
【図面の簡単な説明】
【００３５】
【図１】本発明の一実施形態としての視力計の構成を示すブロック図。
【図２】本発明の一実施形態としてのリモコン装置及び視標呈示装置の内部構成を概略的に示すブロック図。
【図３】本発明の一実施形態としての各リモコン装置におけるリモコン信号の出力パターンを示す図。
【図４】ΔＴ＞Ｔ１の場合の各リモコン装置から出力されたリモコン信号の関係を示す図。
【図５】ΔＴ＜Ｔ１の場合の各リモコン装置から出力されたリモコン信号の関係を示す図。
【符号の説明】
【００３６】
１０ｎ：リモコン装置、１２：入力部、１４、２４：マイクロコンピュータ、１６：送信部、１８：ディスプレイ、２０ｎ：視標呈示装置、２２：受信部、２６：表示器
【図１】
2009225254.tif 000003
【図２】
2009225254.tif 000004
【図３】
2009225254.tif 000005
【図４】
2009225254.tif 000006
【図５】
2009225254.tif 000007